【手続補正書】
【提出日】平成18年6月14日(2006.6.14)
【手続補正１】
【補正対象書類名】明細書
【補正対象項目名】特許請求の範囲
【補正方法】変更
【補正の内容】
【特許請求の範囲】
【請求項１】  少なくとも１枚の内側プライに対面関係で消極的に結合した少なくとも１枚のセルロース性外側プライを有する複数プライ紙ウェブであって、前記内側プライが、液体不浸透性で通気性のウェブである紙ウェブ。
【請求項２】  前記セルロース性プライが、１０乃至１００ｇ／ｍ2の坪量を有するクレープ加工された紙からなる、請求項１記載の紙ウェブ。
【請求項３】  前記セルロース性プライが、１５乃至２５ｇ／ｍ2の坪量を有するクレープ加工された紙からなる、請求項１記載の紙ウェブ。
【請求項４】  前記内側プライが、不織布ウェブに形成されたメルトブローン繊維を含有する、請求項１記載の紙ウェブ。
【請求項５】  前記メルトブローン繊維が、ポリオレフィンたとえばポリプロピレンとポリエチレン、ポリエステルたとえばポリエチレンテレフタレート、ポリアミドたとえばナイロン、コポリマーならびにこれらのおよび他の熱可塑性ポリマーとの配合物からなる群から形成される、請求項４記載の紙ウェブ。
【請求項６】  前記内側プライが、１乃至１５ｇ／ｍ2の坪量を有する、請求項５記載の紙ウェブ。
【請求項７】  前記内側プライが、１乃至８ｇ／ｍ2の坪量を有する、請求項５記載の紙ウェブ。
【請求項８】  前記メルトブローン繊維が、１０μｍ以下の平均直径を有する、請求項５記載の紙ウェブ。
【請求項９】前記メルトブローン繊維が、２．５μｍ以下の平均直径を有する、請求項５記載の紙ウェブ。
【請求項１０】  前記内側プライが、少なくとも４０００ｇＨ2Ｏ／２４ｈｒ／ｍ2の透湿度を有する、請求項１記載の紙ウェブ。
【請求項１１】  前記内側プライが、少なくとも５０００ｇＨ2Ｏ／２４ｈｒ／ｍ2の透湿度を有する、請求項１記載の紙ウェブ。
【請求項１２】  前記内側プライが、少なくとも１９６Paの静水圧を保つ、請求項１記載の紙ウェブ。
【請求項１３】  前記内側プライが少なくとも３９２Paの静水圧を保つ、請求項１記載の紙ウェブ。
【請求項１４】  第１幅を定める対向端部を有する少なくとも１枚の内側プライを有する複数プライ紙ウェブであって、前記内側プライが、少なくとも２枚のセルロース性外側プライの間で、かつ隣接して対面関係で配置され、各前記セルロース性外側プライが、第２幅を定める対応端部を有し、前記内側プライが、液体不浸透性で通気性のウェブからなり、かつ前記紙ウェブが前記対応端部近傍で積極的に結合される紙ウェブ。
【請求項１５】  前記第２幅が、前記第１幅より大きいことにより、前記積極的結合が、前記セルロース性外側プライ間に存在する、請求項１４記載の紙ウェブ。
【請求項１６】  結合形成が、エンボス加工、ニードル加工、または他の機械的結合方法による、請求項１４記載の紙ウェブ。
【請求項１７】  各前記セルロース性プライが、１５乃至２５ｇ／ｍ2の坪量を有するクレープ加工された紙ウェブからなる、請求項１４記載の紙ウェブ。
【請求項１８】  各前記内側プライが、不織布に形成されたメルトブローン繊維を有する、請求項１４記載の紙ウェブ。
【請求項１９】  前記内側プライが、１０μｍ以下の平均直径を有するメルトブローン繊維を含有し、前記内側プライが、１乃至１５ｇ／ｍ2の坪量と少なくとも４０００ｇＨ2Ｏ／２４ｈｒ／ｍ2の透湿度を有する、請求項１６記載の紙ウェブ。
【請求項２０】  対面関係で少なくとも１枚の内側プライに消極的に結合した少なくとも１枚のセルロース性外側プライを有する複数プライ紙ウェブであって、前記内側紙ウェブが、８ｇ／ｍ2以下の坪量を有するメルトブローン不織布からなる紙ウェブ。
【手続補正２】
【補正対象書類名】明細書
【補正対象項目名】０００１
【補正方法】変更
【補正の内容】
【０００１】
発明の分野
本発明は紙ウェブに関し、さらに具体的には通気性（以下、呼吸可能ともいう。）で液体不浸透性のバリアー層を有する複数プライ紙ウェブに関する。
【手続補正３】
【補正対象書類名】明細書
【補正対象項目名】０００２
【補正方法】変更
【補正の内容】
【０００２】
発明の背景
セルロース繊維性構造体たとえば紙ウェブは当該技術に公知である。そのような紙ウェブはフェイシャル・ティシュ、手洗いティシュ、紙タオル、およびナプキンに使用でき、いずれも今日幅広く使用される。これらの製品が意図された性能を発揮して幅広く受け入れられるためには、繊維性構造体（以下、繊維構造体ともいう。）は吸収性、嵩、強さおよび柔軟性の項目において適正な特性を示さなければならない。
【手続補正４】
【補正対象書類名】明細書
【補正対象項目名】０００７
【補正方法】変更
【補正の内容】
【０００７】
ロイド外（Lloyd  et  al）の米国特許第４，８８５，２０２号明細書は、湿潤強さのために２枚の外側ティシュ・プライ間に全般に密接に熱結合されたメルトブローン（以下、熔融ブローともいう。）繊維の使用を教示する。しかしながら、必要とされる熱的結合は、ウェブのこわさを増加し、そしておそらく製造コストを増加するのみならずこわさを複数プライ・ティシュに付加する可能性がある。
【手続補正５】
【補正対象書類名】明細書
【補正対象項目名】０００８
【補正方法】変更
【補正の内容】
【０００８】
従って、液体不浸透性で、曲げやすく通気性の紙ウェブを提供することが望まれる。
【手続補正６】
【補正対象書類名】明細書
【補正対象項目名】０００９
【補正方法】変更
【補正の内容】
【０００９】
加えて、小液滴の形態での空気伝染性病原菌の透過に対してバリアー特性を示し、かつ安価に製造されるセルロース性紙ウェブを提供することが望まれる。
【手続補正７】
【補正対象書類名】明細書
【補正対象項目名】００１０
【補正方法】変更
【補正の内容】
【００１０】
さらに、空気伝染性または血液伝染性の病原菌の透過に対してバリアー特性を示す、曲げやすく通気性であるセルロース性紙ウェブを提供することが望まれる。
【手続補正８】
【補正対象書類名】明細書
【補正対象項目名】００１２
【補正方法】変更
【補正の内容】
【００１２】
好ましい実施例では、内側プライのメルトブローン(以下、熔融ブローされたともいう。)繊維は約１０μｍ未満の、またさらに好ましくは約２．５μｍ未満の、平均直径を有するポリプロピレン繊維からなる。不織布ウェブは、約１乃至約１５ｇ／ｍ2の、好ましくは約１乃至約１０ｇ／ｍ2のそしてさらに好ましくは約１乃至約８ｇ／ｍ2の坪量を有することができる。
【手続補正９】
【補正対象書類名】明細書
【補正対象項目名】００２１
【補正方法】変更
【補正の内容】
【００２１】
本明細書で使用の“消極的結合”とは、接着剤、熱または超音波手段、エンボス加工、または積極的な結合手段を適用しない構成要素プライの結合を意味する。たとえば、消極的結合は、材料の２枚のプライを互いに接触するときに発生し、材料が互いに“他着する”傾向をもつ結合を言う。消極的結合は一般に極めて軽い、そして一旦互いに接触状態に置かれて接触状態を維持する自然な親和性を表す。たとえば、消極的結合は、静電荷、凝集力、または単純な機械的結合たとえば“フックとループ”ファスナーに似たものに依る。
【手続補正１０】
【補正対象書類名】明細書
【補正対象項目名】００２９
【補正方法】変更
【補正の内容】
【００２９】
セルロース性紙ウェブ３０の第２区域は、刻印された網状区域の全域に分散した複数の半球状物を有することができる。半球状物は、幾何学的にまた製紙の間に位置的に、製紙用模様付き樹脂ベルトの偏向用導管に概ね対応している。半球状物は、製紙中に偏向用導管に一致させることにより、紙の本質的な連続網状組織区域から外側に突出ている。製紙中に偏向用導管に一致させることにより、半球状物中の繊維は、枠組みの紙に面する面と補強構造物の紙に面する面との間でＺ方向に偏向される。好ましくは半球状物は隔離している。
【手続補正１１】
【補正対象書類名】明細書
【補正対象項目名】００３５
【補正方法】変更
【補正の内容】
【００３５】
バリアー層２０は、任意の組成から形成することができ、そして好ましくは微小繊維に押出し加工することができる熱可塑性樹脂材料である。具体例は、共重合体およびこれと他の熱可塑性重合体との配合物のみならずポリオレフィンたとえばポリプロピレンとポリエチレン、ポリエステルたとえばポリエチレンテレフタレート、ポリアミドたとえばナイロンを含む。メルトブロー（以下、熔融ブローともいう。）される押出し工程により微小繊維へ加工する容易さのために、これらの中で好ましいのはポリオレフィンであり、そして最も好ましいのはポリプロピレンである。
【手続補正１２】
【補正対象書類名】明細書
【補正対象項目名】００３９
【補正方法】変更
【補正の内容】
【００３９】
紙ウェブ１０は、当該技術に知られる他の方法により複数プライを複数プライ紙ウェブへ結合することにより製造することができる。この方法には、種々の積極的結合技術、接着剤結合、熱結合、超音波結合、およびエンボス加工による機械的結合が含まれる。しかしながら、複数プライを複数プライ・ウェブへ積極的に結合することは必要でないことを予期せずに見出した。その代わり、複数の構成要素プライを本発明の複数プライ紙ウェブへ結合するときに、結合が消極的に起きる。たとえば、図２に関し、十分な結合が組込みロール２５０で起きて、その後の加工と使用のために複数の構成要素プライを密接に接触させて保持する。たとえば、紙ウェブ１０は断裁され、折り畳まれ、そしてティシュとして使用され、構成要素プライの意図しない結合抑制(以下、脱結合ともいう。)は起きない。この驚くべき結果は、接着剤結合、熱結合、超音波結合、およびエンボス加工による結合のような結合の付加コストなしに複数プライ紙ウェブ１０を提供する。また、消極的結合は、意味のあるこわさを複数プライ・ウェブに付加することができる複数プライ間接着剤の使用を避ける。こわさはそのようなウェブ、特にフェイシャルまたは手洗いティシュとして使用のウェブには望ましくない。
【手続補正１３】
【補正対象書類名】明細書
【補正対象項目名】００６１
【補正方法】変更
【補正の内容】
【００６１】
重量測定用に適した分析天秤は、メトラーＡＥ２４０または同等物（秤量３００ｇ）あるいはザルトリウス２２５４S0002または同等物（秤量１０００ｇ）を含む。適正な試料保持組み立て体は、円いカップとDelrin（登録商標）（たとえばMcMasterCarr  カタログ＃８５７２K３４から入手可能なもの）で機械加工した保持リングとをGC  Septum  Material（Alltech  カタログ＃６５２８）から製造されたガスケットと共に含む。カップの開口部の円形開口面積は０．０００７０６９ｍ2であった。乾燥剤はU字管用のＣａＣｌ2１５６を含み、ワコ純薬社（Wako  Pure  Chemical  Industries、バージニア州、リッチモンド）の製品＃０３０−００５２５から入手できる。プラスチック・ラップはダウ・ケミカル社から入手できるサラン・ラップまたは同等物を含む。適正な環境小室はエレクトローテク・システム社（Electro−Tech  Systems  Inc．，）のETSモデル５０６Aまた同等物を利用できる。温度調節器はETSモデル５１３Ａまたは同等物であり、湿度調節器はETSモデル５１４または同等物であり、加熱装置はMarley  電気加熱モデル２５１２WC（４００ワット）または同等物であり、加湿器はETSモデル５６１２Bまたは同等物である。